(57)【要約】  本発明は、殊にスポーツ活動に用いられる、筒部と、足部と、バンデージとを有するソックスであって、前記足部が、つま先領域と、踵領域と、つま先領域と踵領域との間に位置する踏み領域とを有している形式のものに関する。このソックスには、バンデージが設けられている。バンデージ（３）は、円錐状の形状を有している。
2009524745.tif 000002
【特許請求の範囲】
【請求項１】
殊にスポーツ活動に用いられる、筒部と、足部と、バンデージとを有するソックスであって、前記足部が、つま先領域と、踵領域と、つま先領域と踵領域との間に位置する踏み領域とを有している形式のものにおいて、前記バンデージ（３）が、円錐状の形状を有していることを特徴とする、ソックス。
【請求項２】
バンデージ（３）が、踏み領域（１３）とは反対の側で、踏み領域（１３）に面している側よりも小さい直径を有している、請求項１記載のソックス。
【請求項３】
バンデージ（３）が、踏み領域（１３）とは反対の側で、筒部（２）の終端部を形成している、請求項１または２記載のソックス。
【請求項４】
ストラップ（４）が設けられている、請求項１から３までのいずれか１項記載のソックス。
【請求項５】
ストラップ（４）が、実質的に、踝の領域から踏み領域（１３）の方向に延在している、請求項４記載のソックス。
【請求項６】
ストラップ（４）が、その自由端部でバンデージ（３）に結合している、請求項４または５記載のソックス。
【発明の詳細な説明】
【技術分野】
【０００１】
本発明は殊にスポーツ活動に用いられる、筒部と、足部と、バンデージとを有するソックスであって、前記足部が、つま先領域と、踵領域と、つま先領域と踵領域との間に位置する踏み領域とを有している形式のものに関する。
【０００２】
特にスポーツ活動時は、人間の足は通常、ソックスに覆われている。ソックスの足への良好なフィット形状を得るために、ソックスもしくはストッキングに、リング型バンデージを設けることが公知である。
【０００３】
リング型バンデージは、それぞれ菅状の横断面を有している。この公知のバンデージは、スポーツ活動時に関節の支持に役立つ。これらのバンデージは、通常は、課された要求を満たしている。しかしながらこのバンデージは、根本的に、足の、踝の上側の領域における細い横断面およびその横断面の、足方向に向かった拡張を配慮していない。したがって、バンデージの、足に面した部分が、足とは反対側の部分と同じ直径を有していることにより、足の拡張している領域で、過度にきつく押し当てられてしまう可能性がある。これは圧力負荷を生じさせる。ソックスは、肌に直接に着用されるため、この圧力負荷が肌の擦過傷を生じさせ得る。これによってスポーツ選手の競技能力は、いずれにせよ減じられている。
【０００４】
ここで本発明が改善策を提供する。本発明の課題は、足の解剖学的構造に特に配慮し、かつ足と脛骨との間の移行部の条件に最適に適合されているソックスを提供することである。この課題を解決するために本発明では、バンデージが、円錐状の形状を有しているようにした。
【０００５】
本発明によって、特にスポーツ活動のためのソックスが提供されている。このソックスは漏斗状の形状を有していて、脛骨と足との間の移行部の解剖学的な関係に特に配慮している。これによって、バンデージの、足に面している端部の領域で圧力負荷が防がれる。さらに、このバンデージの形状は、バンデージが、スポーツ活動時に踝に確実に押し当てられ、それによって保護機能が付加的に高められているように作用する。同時に、バンデージは、筒部が足の方向にずれることを阻止する。
【０００６】
本発明の別の実施形態では、バンデージが、踏み領域とは反対の側で、筒部の終端部を形成している。これによって、従来はソックスに設けられていた折返し部を省くことができる。これは、特に極めて短いソックス、たとえば特殊な陸上用ソックスまたはテニス用ソックスのために適当である。これによって、スポーツ各種のそれぞれの動向がよく配慮され、同時に支持機能が得られる。
【０００７】
本発明のさらに別の実施形態では、ストラップが設けられている。このストラップが、実質的に、踝の領域から、踏み領域の方向に延びていると有利である。この場合、ストラップの自由な端部が、バンデージに結合していると極めて有利である。ストラップを設けることによって、バンデージのさらなる位置固定が得られる。これによって、ソックスの足へのさらに改善された適合が得られる。踏み領域の下側における、ストラップのU字型形状の原理によって、さらに高められた側面の支持機能が生ぜしめられている。
【０００８】
本発明の別の改良形および構成は、他の従属請求項に示してある。本発明の実施例を図面に示し、以下に詳しく説明する。図１ａ）〜ｃ）は、バンデージを有するソックスを足の外側から見た図と、当該ソックス対を後ろから見た図であり、図２ａ）〜ｃ）は、別の実施例におけるバンデージを有するソックスを足の外側から見た図と、当該ソックス対を後ろから見た図であり、図３ａ）〜ｃ）は、さらに別の実施例におけるバンデージを有するソックスを足の外側から見た図と、当該ソックス対を後ろから見た図である。
【０００９】
実施例として選択されたソックスは、足部１と筒部２とから成っている。足部１は、つま先領域１１と、踵領域１２と、つま先領域１１と踵領域１２との間に位置する踏み領域１３とを有している。これらの領域１１，１２，１３は実施例で示すように、強化された材料によって製作されていてよい。たとえば弾性繊維材料とバージンウール（Schnurwolle）のような材料の組合せを使用することも可能である。図１および図２の実施例では、筒部２の足部分１とは反対側の端部に折返し部２１が備えられている。
【００１０】
ソックスは、距腿関節（Sprunggelenke）の領域にバンデージ３を有している。バンデージ３は、弾性かつ空調性の織布から形成されている。エラスタン、ライクラ（Lycra）、もしくは種々異なる弾性率もしくは伸縮率を有する他の材料が使用されていると有利である。
【００１１】
バンデージ３は、連続的に環状に延在しており、ソックスを形成している織物に織り合わされている。バンデージ３は、円錐状の形状を有しており、それによって、バンデージ３の直径の幅は異なっている。バンデージ３は、踏み領域１３と反対の側で、踏み領域に面している側、つまり折返し部２１と反対の側より小さい直径を有している。これによって、バンデージ３の漏斗状の形状が十分に得られる。この形状は、スポーツ活動時にバンデージ３が踝に確実に押し当てられ、それによって支持効果が付加的に強化されているように作用する。同時に、この形式によって、ソックスがスポーツ活動時に足部１の方向にずれることを阻止し、これによって快適な装着感が高められている。
【００１２】
図２に図示の実施例では、ウェブもしくはストラップ４が設けられている。ストラップ４は、実質的に、踝の領域から踏み領域１３の方向に延びていて、かつ踏み領域１３の長手方向中心軸線に対して横方向に踏み領域１３を通過している。ストラップ４は、これによって、内側の踝から、外側の踝へと足を取り囲んでいる。ストラップ４は、その自由な端部で、バンデージ３に結合している。ストラップ４は、バンデージ３の位置固定に作用し、ソックスのさらに正確な適合を生ぜしめる。ストラップ４は、バンデージ３に、踏み領域１３の方向への力を作用させるが、バンデージ３は、その円錐状の形状によって、予め規定された位置に留まる。
【００１３】
図３に示した実施例では、ソックスは、折返し部を有していない。この場合、バンデージ３が、折返し部の機能を引き受けている。これによって、バンデージ３が、踏み領域１３とは反対の側で、筒部２の終端部を形成している。この実施例は、特に短い陸上用ソックス、テニス用ソックス、もしくは同等のものに推奨できる。
【００１４】
実施例の説明および請求項でソックスについて述べた限りでは、本発明はこれらに限定されるものではない。むしろストッキング、タイツ、さらに同等のものもソックスの概念に含まれ、本発明は同じくこれらにも関連する。
【図面の簡単な説明】
【００１５】
【図１】バンデージを有するソックスを足の外側から見た図と、当該ソックス対を後ろから見た図である。
【図２】別の実施例におけるバンデージを有するソックスを足の外側から見た図と、当該ソックス対を後ろから見た図である。
【図３】さらに別の実施例におけるバンデージを有するソックスを足の外側から見た図と、当該ソックス対を後ろから見た図である。
【図１】
2009524745.tif 000003
【図２】
2009524745.tif 000004
【図３】
2009524745.tif 000005
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
殊にスポーツ活動に用いられる、筒部と、足部と、バンデージとを有するソックスであって、前記足部が、つま先領域と、踵領域と、つま先領域と踵領域との間に位置する踏み領域とを有している形式のものにおいて、前記バンデージ（３）が、距腿関節の領域に設けられていて、円錐状の形状を有していることを特徴とする、ソックス。
【請求項２】
バンデージ（３）が、踏み領域（１３）とは反対の側で、踏み領域（１３）に面している側よりも小さい直径を有している、請求項１記載のソックス。
【請求項３】
バンデージ（３）が、踏み領域（１３）とは反対の側で、筒部（２）の終端部を形成している、請求項１または２記載のソックス。
【請求項４】
ストラップ（４）が設けられている、請求項１から３までのいずれか１項記載のソックス。
【請求項５】
ストラップ（４）が、実質的に、踝の領域から踏み領域（１３）の方向に延在している、請求項４記載のソックス。
【請求項６】
ストラップ（４）が、その自由端部でバンデージ（３）に結合している、請求項４または５記載のソックス。
【国際調査報告】
2009524745.tif 000006
2009524745.tif 000007
2009524745.tif 000008
2009524745.tif 000009
2009524745.tif 000010
2009524745.tif 000011